【事件の表示】
　特許第３０８６９８５号「写真振分装置」の請求項１、２に係る特許に対する特許異議の申立てについて、次のとおり決定する。
【結　論】
　訂正を認める。
　特許第３０８６９８５号の請求項１に係る特許を取り消す。
　同請求項２に係る特許を維持する。
【理　由】
（１）手続の経緯
　特許第３０８６９８５号の請求項１及び２に係る発明は、平成４年６月１２日に特許出願され、平成１２年７月１４日にその特許の設定登録がなされ、その後異議申立人中森繁雄により特許異議の申立がなされ、取消理由通知がなされ、その指定期間内である平成１３年８月１０日に訂正請求がなされたものである。
　
（２）訂正の適否についての判断
　（ア）訂正の内容
訂正事項ａ
　特許請求の範囲の請求項２を、次のように訂正する。
「【請求項２】　焼付装置の印画紙排出部に接続し、焼付露光済みのカットシート状の印画紙を受け入れ、進行方向に対して複数列に振り分け、振り分けた印画紙を同時に又は、順に、後流に接続又は配置した自動現像機に送り込む写真振分装置であって、前記振り分けの判断を、プリントサイズによって振り分け列数を決定すると共に、前記振り分け列数以内の列数で振り分け、自動現像機の処理可能幅全体を使用しないよう位置決めし、自動現像機の印画紙搬送ローラの全域に対し、順次、振り分けた複数列の搬送ラインを変更する如く位置決めをする制御手段を設けたことを特徴とする写真振分装置。」
　
訂正事項ｂ
　明細書の段落【０００７】を、次のように訂正する。
「【０００７】また、この発明の写真振分装置は、焼付装置の印画紙排出部に接続し、焼付露光済みのカットシート状の印画紙を受け入れ、進行方向に対して複数列に振り分け、振り分けた印画紙を同時に又は、順に、後流に接続又は配置した自動現像機に送り込む写真振分装置であって、前記振り分けの判断を、プリントサイズによって振り分け列数を決定すると共に、前記振り分け列数以内の列数で振り分け、自動現像機の処理可能幅全体を使用しないよう位置決めし、自動現像機の印画紙搬送ローラの全域に対し、順次、振り分けた複数列の搬送ラインを変更する如く位置決めをする制御手段を設けたことを特徴とする。」
　
　（イ）訂正の目的の適否、新規事項の有無及び拡張・変更の存否
　訂正事項ａに係る訂正は、特許請求の範囲の減縮に該当し、実質的に特許請求の範囲を拡張又は変更するものではないし、新規事項の追加にも該当しない。
　
　訂正事項ｂに係る訂正は、明瞭でない記載の釈明に該当し、実質的に特許請求の範囲を拡張又は変更するものではないし、新規事項の追加にも該当しない。
　
　（ウ）むすび
　以上のとおりであるから、上記訂正は特許法等の一部を改正する法律（平成６年法律第１１６号）（以下「平成６年改正法」という。）附則第６条第１項の規定によりなお従前の例によるとされる、特許法第１２０条の４第３項において準用する平成６年改正法による改正前の特許法第１２６条第１項ただし書及び第２項の規定に適合するので、当該訂正を認める。
　
（３）特許異議の申立について
　（ア）申立の理由の概要
　申立人中森繁雄は、証拠として甲第１号証（特開昭６２−５６２４９号公報）、甲第２号証（特開平４−４２２２７号公報）、甲第３号証（特開平２−１８９５３９号公報）を提出し、本件請求項１及び２に係る発明の特許は、甲第１号証に記載された発明、又は甲第１及び２号証記載の発明に基づいて当業者が容易に発明することができたものであるので、特許法第２９条第１項第３号、又は特許法第２９条第２項の規定に違反してなされたものであるので、本件請求項１及び２に係る発明の特許を取り消すべき旨主張している。
　
　（イ）本件請求項１及び２に係る発明
　上記「（２）訂正の適否についての判断」で示したように上記訂正が認められるから、本件請求項１及び２に係る発明は、上記訂正請求に係る訂正明細書の特許請求の範囲の請求項１及び２に記載された事項により特定される次のとおりのものである。
「【請求項１】　焼付装置の印画紙排出部に光密に接続し、焼付露光済みのカットシート状の印画紙を受け入れ、進行方向に対して複数列に振り分け、振り分けた印画紙を同時に又は、順に、後流に接続又は配置した自動現像機に送り込む写真振分装置であって、前記振り分けの判断をプリントサイズによって行ない、振り分け列数を決定する制御手段を有することを特徴とする写真振分装置。
　
【請求項２】　焼付装置の印画紙排出部に接続し、焼付露光済みのカットシート状の印画紙を受け入れ、進行方向に対して複数列に振り分け、振り分けた印画紙を同時に又は、順に、後流に接続又は配置した自動現像機に送り込む写真振分装置であって、前記振り分けの判断を、プリントサイズによって振り分け列数を決定すると共に、前記振り分け列数以内の列数で振り分け、自動現像機の処理可能幅全体を使用しないよう位置決めし、自動現像機の印画紙搬送ローラの全域に対し、順次、振り分けた複数列の搬送ラインを変更する如く位置決めをする制御手段を設けたことを特徴とする写真振分装置。」
　
　（ウ）引用刊行物
　本件請求項１及び２に係る発明に対して、当審が平成１３年６月５日付で通知した取消理由で引用した刊行物１〔甲第１号証（特開昭６２−５６２４９号公報）〕には、次のような記載がある。
（い）「第１図と第２図に簡略化して示している装置はいわゆるミニラボ（Ｍｉｎｉｌａｂ）すなわち写真焼付けのためのコンパクトな装置である。この装置は、個別シートを扱う焼付け装置Ｋ、分配ステーションＶ、湿式処理と乾燥のステーションＴのほか、１つの集合／戻しステーション８を含んでおり、カセットＣに貯留式に収められている写真焼付材料ＰがこれらステーションＫ，Ｖ，Ｓを順々に通り抜ける。」（第３頁右上欄第１９行〜同頁左下欄第７行）
　
（ろ）「カセットＣから出た焼付材料Ｐは先ず焼付け機Ｋに到達するが、その際搬送ローラの対ｌａ，ｌｂを経て切断装置２に導かれる。この切断装置２は焼付材料をその際の所望のフォーマットサイズの個別シートＢに分断する。したがって、これ以降の処理の各段階では焼付材料は個別シートＢとなっている。
　切断装置２から個別シートＢは、２つのローラーの対１１ａ，１１ｂ；１２ａ，１２ｂと、１つの孔あきエンドレスベルト１３から成っている、以降流入コンベヤ１０と称する、１つの搬送装置を経て、焼付け機Ｋの露光ゾーンに達し、そこで投射レンズ３によって原稿４の画像に従った露光を受け、次に分配ステーションＶに順々に到達する。」（第３頁左下欄第８行〜同頁右下欄第２行）
　
（は）「分配ステーションＶから個別シートＢは、幾つか（この例では３台）の互に平行な、以降排出コンベヤ２０ａ，ｂ，ｃと称する、搬送装置に分配され、この排出コンベヤによって、湿式処理と乾燥のステーションＴを通して搬送される。排出コンベヤについては、受入れローラの対２１ａ，２１ｂだけが図示されている。」（第３頁右下欄第３〜９行）
　
（に）「分配ステーションＶは分配装置１００とそれに付属する電子式制御装置２００を含んでおり、この制御装置２００は同時に搬送装置ｌａ，ｌｂ，１０および焼付け機Ｋにある切断装置２をも制御する。制御装置２００には、入力部２０１を経て外部からの命令が入力される。」（第４頁左上欄第９〜１４行）
　
（ほ）「分配装置１００は実質上、流入コンベヤ１０の搬送方向に直角で排出コンベヤ２０ａーｃに対して可動な移動台１１０で成っており、この移動台１１０はすべり軸受を介して装置に固定された２本のすべり案内棒１１３，１１４の上に移動可能に支持されている。移動台１１０を駆動するために、２つのプーリ１１１と１１２にかかって動く歯付ベルト１１５と、ヘッド側プーリ１１１を廻す駆動モータ１１６がある。駆動モータ１１６は制御装置２００によって制御される。移動台１１０と歯付ベルト１１５は１点１１７において相互に結合されている。」（第４頁左上欄第１７行〜同頁右上欄第８行）
　
（へ）「搬送ローラの対１３１ａ，ｂと１３２ａ，ｂは流入コンベヤ１０から個別シートＢを受取り、それらを排出コンベヤ２０ａーｃへ送り出す。移動台１１０の横方向の動きによって、この際に、この例では３台の排出コンベヤへの分配が行われる。それを詳しく説明するならば、移動台１１０が個別シートＢを受取るために第２図で実線で示す迎えの位置へと動き、個別シートＢを受取り、それから所望の、すなわちこの際それが載るべき排出コンベヤ２０ａ，ｂあるいはｃに対応する卸しの位置（第２図では例として排出コンベヤ２０ｃの所に破線１１０′で示している）まで動き、そして、その排出コンベヤの上に個別シートを落す。この際、その分配は１つの分配プランに従って制御装置２００が制御することで達成されるが、その分配プランは、個々の排出コンベヤ上に個別シートが一様に、そして場所が節約されるように載るようにするのが目的に合致している。可能な分配プランとしては例えば周期式、つまり、最初の写真がコンベヤ２０ａに、次の写真がコンベヤ２０ｂに、３番目の写真がコンベヤ２０ｃに、そして以降それを繰返すという方式がある。もちろん他の分配プランも可能である。」（第４頁左下欄第１行〜同頁右下欄第３行）
　
（と）「第８ａ，８ｂ図では．終りとして、排出コンベヤ２０ａーｄはフオーマットサイズの小さい個別シートＢに対して用いられ、２台の排出コンベヤ２０ａ′と２０ｂ′はフオーマットサイズの大きい個別シートＢＢに用いられる、ということが実現されうることを示している。この際には同一の分配ステーションＶ、同一の光学的検知装置６０がそのまま用いられ．変更は移動台の制御においてと、光学的検知装置６０からの信号の利用の仕方においてだけ必要である。しかし、この変更は容易に簡単にソフトウエアで行われる。」（第５頁右下欄第１０〜末行）
　
　前記（い）〜（と）の記載事項と図面の記載からみて、刊行物１には、焼付け装置の個別シート排出部に接続し、焼付露光済みの個別シートを受け入れ、進行方向に対して複数列に振り分け、振り分けた個別シートを順に、後流に接続又は配置した湿式処理と乾燥のステーションに送り込む写真振分装置であって、前記振り分けの判断を行ない、振り分け列数を決定する制御装置を有することを特徴とする写真振分装置、が記載されている。
　
　同刊行物２〔甲第２号証（特開平４−４２２２７号公報）〕には、
（ち）「以上の一連の可動ガイド１５の動作を、各搬送列毎に、それぞれの搬送列に配置された検出手段２０で印画紙１を検出して独立して行なう。この実施例では、３連の搬送列を示しているが搬送列の数はこれに限定されるものではない。
　また、印画紙１の幅と搬送列数が変っても構造を変えることなくアキュームが可能である。
　例えば、第２図に示すように、幅の広い印画紙１を２連搬送する場合には、中央の可動ガイド１５を常時開いておき、２列で搬送される印画紙１を検出して左右の可動ガイド１５を開く。
　また、第３図に示すように、中央の可動ガイド１５１を２分割して分割可動ガイド１５１ａ，１５１ｂとし、印画紙１を２連搬送と３運搬送の両方をアキュームすることが可能な構造することができる。」（第４頁右上欄第３〜１８行）が記載されている。
　
　なお、甲第３号証（特開平２−１８９５３９号公報）には、
（り）「材料片２８は、分配ステーション３５に移送されるとき、ベルト３３上に保持される。」（第４頁右上欄第１９〜末行）が記載されている。
　
　（エ）対比・判断
　　（本件請求項１に係る発明と刊行物１記載の発明との対比）
　本件請求項１に係る発明と上記刊行物１（甲第１号証）記載の発明とを対比すると、刊行物１記載の発明における「焼付け装置」、「個別シート」、「湿式処理と乾燥のステーション」、及び「制御装置」は、本件請求項１に係る発明における「焼付装置」、「カットシート状の印画紙、あるいは印画紙」、「自動現像機」、及び「制御手段」に、それぞれ相当するものであるので、本件請求項１に係る発明と刊行物１記載の発明は、「焼付装置の印画紙排出部に接続し、焼付露光済みのカットシート状の印画紙を受け入れ、進行方向に対して複数列に振り分け、振り分けた印画紙を同時に又は、順に、後流に接続又は配置した自動現像機に送り込む写真振分装置であって、前記振り分けの判断を行ない、振り分け列数を決定する制御手段を有することを特徴とする写真振分装置。」という点で一致し、次の点で相違する。
　
相違点（Ａ）
　写真振分装置が、焼付装置の印画紙排出部に接続しているものにおいて、本件請求項１に係る発明は、写真振分装置が、焼付装置の印画紙排出部に光密に接続しているのに対して、刊行物１記載の発明は、光密についての明示が無い点。
　
相違点（Ｂ）
　振り分けの判断を行ない、振り分け列数を決定するものにおいて、本件請求項１に係る発明は、振り分けの判断をプリントサイズによって行なうのに対して、刊行物１記載の発明は、振り分けの判断をプリントサイズによって行なうことについての明示が無い点。
　
　　（本件請求項１に係る発明に対する判断）
相違点（Ａ）について：
　刊行物１記載の発明は、ミニラボであって、光密とすることは周知の構成であるので、相違点（Ａ）の本件請求項１に係る発明の構成は、格別なものとは認められない。
　
相違点（Ｂ）について：
　刊行物１記載の発明は、分配ステーションＶは分配装置１００とそれに付属する電子式制御装置２００を含んでおり〔上記「（に）」中の記載〕、分配装置１００は実質上、流入コンベヤ１０の搬送方向に直角で排出コンベヤ２０ａーｃに対して可動な移動台１１０で成っており〔上記「（ほ）」中の記載〕、移動台１１０の横方向の動きによって、・・・分配が行われる。・・・分配は・・・分配プランに従って制御装置２００が制御することで達成される〔上記「（へ）」中の記載〕。
　そして、第８ａ，８ｂ図、及び上記「（と）」には、フォーマットサイズの小さい印画紙は４列に、フォーマットサイズの大きい印画紙は２列に分配することを、移動台の制御で行うことが記載されていること、及び、自動現像機の処理可能最大幅〔刊行物１における搬送装置（排出コンベヤ）の幅〕と、プリントサイズから、多列処理の最大列数が導き出せることは、当業者にとって自明の事項であることから、振り分け列数を決定するのに、振り分けの判断をプリントサイズによって行うことに格別の困難性は認められず、相違点（Ｂ）の本件請求項１に係る発明の構成は、刊行物１記載の発明に基づいて当業者が容易に推考しえたものと認める。
　
　そして、本件請求項１に係る発明の効果は、刊行物１の記載から予測される範囲のものである。
　
　　（本件請求項２に係る発明について）
　本件請求項２に係る発明と上記刊行物１、２（甲第１、２号証）及び甲第３号証に記載の発明とを対比すると、刊行物１、２及び甲第３号証に記載の発明は、本件請求項２に係る発明を特定する事項である「自動現像機の処理可能幅全体を使用しないよう位置決めし、自動現像機の印画紙搬送ローラの全域に対し、順次、振り分けた複数列の搬送ラインを変更する如く位置決めをする制御手段」を備えておらず、この点により本件請求項２に係る発明は、明細書記載の「自動現像機内の特定の部位又は特定の搬送ライン上に汚れ等が付着堆積することを防止して、プリントに早期に画像汚れが発生することを防止する」という効果を奏するものであり、本件請求項２に係る発明が上記刊行物１、２及び甲第３号証のいずれかに記載された発明であるとも、刊行物１、２及び甲第３号証に記載の発明から容易に推考することができたものともいえない。
　
　（オ）むすび
　以上のとおりであるから、本件請求項１に係る発明は、上記刊行物１記載の発明に基づいて、当業者が容易に発明をすることができたものであるから、本件請求項１に係る発明の特許は、特許法第２９条第２項の規定に違反してなされたものであり、同法第１１３条第２号に該当し、取り消されるべきものである。
　
　また、特許異議の申立の理由及び証拠によっては、本件請求項２に係る発明についての特許を取り消すことはできない。
　他に本件請求項２に係る発明についての特許を取り消すべき理由を発見しない。
　したがって、本件請求項２に係る発明についての特許は拒絶の査定をしなければならない特許出願に対してされたものと認めない。
　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年８月３１日（２００１．８．３１）
【訂正の要旨】
　（訂正の要旨）
訂正事項ａ
　特許請求の範囲の請求項２を、次のように訂正する。
「【請求項２】　焼付装置の印画紙排出部に接続し、焼付露光済みのカットシート状の印画紙を受け入れ、進行方向に対して複数列に振り分け、振り分けた印画紙を同時に又は、順に、後流に接続又は配置した自動現像機に送り込む写真振分装置であって、前記振り分けの判断を、プリントサイズによって振り分け列数を決定すると共に、前記振り分け列数以内の列数で振り分け、自動現像機の処理可能幅全体を使用しないよう位置決めし、自動現像機の印画紙搬送ローラの全域に対し、順次、振り分けた複数列の搬送ラインを変更する如く位置決めをする制御手段を設けたことを特徴とする写真振分装置。」
訂正事項ｂ
　明細書の段落【０００７】を、次のように訂正する。
「【０００７】また、この発明の写真振分装置は、焼付装置の印画紙排出部に接続し、焼付露光済みのカットシート状の印画紙を受け入れ、進行方向に対して複数列に振り分け、振り分けた印画紙を同時に又は、順に、後流に接続又は配置した自動現像機に送り込む写真振分装置であって、前記振り分けの判断を、プリントサイズによって振り分け列数を決定すると共に、前記振り分け列数以内の列数で振り分け、自動現像機の処理可能幅全体を使用しないよう位置決めし、自動現像機の印画紙搬送ローラの全域に対し、順次、振り分けた複数列の搬送ラインを変更する如く位置決めをする制御手段を設けたことを特徴とする。」
（５４）【発明の名称】
写真振分装置
（５７）【特許請求の範囲】
　【請求項１】　焼付装置の印画紙排出部に光密に接続し、焼付露光済みのカットシート状の印画紙を受け入れ、進行方向に対して複数列に振り分け、振り分けた印画紙を同時に又は、順に、後流に接続又は配置した自動現像機に送り込む写真振分装置であって、前記振り分けの判断をプリントサイズによって行ない、振り分け列数を決定する制御手段を有することを特徴とする写真振分装置。
　【請求項２】　焼付装置の印画紙排出部に接続し、焼付露光済みのカットシート状の印画紙を受け入れ、進行方向に対して複数列に振り分け、振り分けた印画紙を同時に又は、順に、後流に接続又は配置した自動現像機に送り込む写真振分装置であって、前記振り分けの判断を、プリントサイズによって振り分け列数を決定すると共に、前記振り分け列数以内の列数で振り分け、自動現像機の処理可能幅全体を使用しないよう位置決めし、自動現像機の印画紙搬送ローラの全域に対し、順次、振り分けた複数列の搬送ラインを変更する如く位置決めをする制御手段を設けたことを特徴とする写真振分装置。
【発明の詳細な説明】
　【０００１】
　【産業上の利用分野】この発明は、写真フィルムから印画紙に焼付露光したのち、現像処理してプリントを作成する技術に関する。
　【０００２】
　【従来の技術】写真フィルムから印画紙に焼付けて現像処理する技術は古くから行なわれ、白黒タイプでは手作業で行なう時代から完全自動で行なうものまで、殆んど技術は出尽くしたと言える。
　【０００３】しかし、カラー写真の普及と共に急激な利用の増大で、自動的に一定のサイズ（サービスサイズ、Ｌサイズ等）について、高速処理することが行なわれるようになった。いわゆる同時プリントとして、客に対してプリントを早急に提供するための開発が行なわれた。一方では、写真利用の多用化が進み、これまではプロの写真家しか利用しないと言われた大サイズの引伸しプリントの需要が増してきた。これは、写真フィルムの感度向上と、微粒子化、及びカメラの撮影能力の向上などに支えられて大サイズの引伸しが、一般のユーザーでも利用可能となったとも言える。このような需要に応えるため、焼付装置も、自動現像機も、大サイズの印画紙を処理出来る、大きい幅の通紙路を持つものが用意されるようになった。
　【０００４】ラボの配置スペースと、装置の稼働効率のため、大きい幅の通紙路を持つ印画紙用自動現像機を、これまでのサービスサイズ等の狭幅の通紙路を持つ自動現像機とは別に配置することは避けなければならず、大きい幅の通紙路を持つ自動現像機で、小さいサイズの印画紙も処理することになった。しかし、大サイズの自動現像機に、小サイズの印画紙を普通に一枚ずつ（一列で）通して処理していたのでは効率が悪いので、これまでは自動現像機を暗室内に設置し、別途焼付露光を終了した小サイズの印画紙をまとめて持ち込み、手作業で自動現像機の通紙路の幅に入れるだけの枚数を並べて同時に挿入することが行なわれた。このような手作業は、やればやれるというだけで必ずしも全体の効率を良くしているとは言えない。
　【０００５】
　【発明が解決しようとする課題】この発明は、上記のような従来技術の不便を解消し、大サイズの印画紙自動現像機に小サイズの印画紙を複数列で送り込む写真振分装置を提供することを課題目的とするものである。
　【０００６】
　【課題を解決するための手段】上記目的を達成するこの発明の写真振分装置は、焼付装置の印画紙排出部に光密に接続し、焼付露光済みのカットシート状の印画紙を受け入れ、進行方向に対して複数列に振り分け、振り分けた印画紙を同時に又は、順に、後流に接続又は配置した自動現像機に送り込む写真振分装置であって、前記振り分けの判断をプリントサイズによって行ない、振り分け列数を決定する制御手段を有することを特徴とするものである。
　【０００７】また、この発明の写真振分装置は、焼付装置の印画紙排出部に接続し、焼付露光済みのカットシート状の印画紙を受け入れ、進行方向に対して複数列に振り分け、振り分けた印画紙を同時に又は、順に、後流に接続又は配置した自動現像機に送り込む写真振分装置であって、前記振り分けの判断を、プリントサイズによって振り分け列数を決定すると共に、前記振り分け列数以内の列数で振り分け、自動現像機の処理可能幅全体を使用しないよう位置決めし、自動現像機の印画紙搬送ローラの全域に対し、順次、振り分けた複数列の搬送ラインを変更する如く位置決めをする制御手段を設けたことを特徴とする。
　【０００８】
　【作用】この発明において写真振分装置を、焼付装置の印画紙排出部に光密に接続したのは、焼付装置が明室で使用され、カットシート状の印画紙に焼付露光されて後、すぐに振り分けて自動現像機で処理することによって、潜像退化を防止すると共に、暗室での作業を軽減するためであって、更に自動現像機とも光密に接続することによって、完全に明室のみで焼付けから現像処理完了までを実施出来る。しかし、自動現像機との接続を必ずしも光密にすることを限定するものではない。理由は、すでに使用されている大サイズ用の自動現像機を暗室に置いて、多種の用途に役立てると共にこの発明の振分装置を利用しようとするとき、該自動現像機は暗室内に設置したままとし、明室に設置した焼付装置に接続した振分装置の排出部開口を該暗室の遮光壁を貫通して設けることによって、振り分けた印画紙を、暗室内の自動現像機に挿入することが出来るからである。この発明において、振り分けの判断をプリントサイズによって振り分け列数を決定する如くしたのは、自動現像機の処理可能幅は決まっているので、採用するプリントサイズの通紙方向の幅が、振り分けて同時に自動現像機を通すときに、互いに隣る印画紙と重なり合わないように並べるための枚数算出の基準となるからである。
　【０００９】なお、プリントサイズは焼付装置に装填した印画紙の幅を有効に最大限に焼付露光を行なうものであって、該プリントサイズのうちの一辺を該印画紙幅で決定し、隣る他辺を該印画紙を切断する長さで決めている。従ってこの発明で、振り分けのための算出に寄与するのは、焼付装置に装填した印画紙の幅であるから、焼付装置に装填した印画紙の幅を情報として、該制御手段に送り、振り分け列数を算出し決定してもよいし、又は別途入力手段をもって上記印画紙幅寸法を入力し、該制御手段に送って振り分け列数を算出し決定してもよい。
　【００１０】次に、上記制御手段で算出した振り分け列数以内の列数で振り分けるとは、自動現像機の処理可能幅全体を使用するのではないことを示し、常にどの列か、空列が存在する如く振り分けることにより、プリントサイズによらず、自動現像機の処理可能幅の最側端に振り分けることを可能とするものであって、従って、この発明の請求項２に記載した順次搬送ラインを変更することを可能とし、自動現像機の処理可能幅の最側端から順に他の最側端までを、搬送ラインを変更して現像処理を継続することによって、自動現像機内の特定の部位又は特定の搬送ライン上に汚れ等が付着堆積することを防止して、プリントに早期に画像汚れが発生することを防止するものである。
　【００１１】
　【実施例】次に、添付図面によって、この発明の実施例を具体的に説明する。
　【００１２】図１は本発明による写真振分装置を備えた写真処理システムの実施例の全体構成図である。
　【００１３】図１において、焼付装置１と振り分け手段２と自動現像機３と集積手段４とは連結して、一連の処理を連続して行なうようにしてある。
　【００１４】まず、焼付装置１において、ネガキャリアに装填したネガフィルム９に対し、光源１０により照明した光で、該ネガフィルム９の画像は投影レンズ８によって、露光台７に搬送され静止した印画紙Ｐに結像し焼付露光を行なう。印画紙Ｐは該焼付露光に先立って、元巻マガジン５に長尺ロールとして収納されていたものを、送り出し手段２３によって送り出し、図示しない計尺手段により、所望のプリントサイズに従って、カッター６で切断したのち、露光台７における搬送手段２４に受け渡しをして搬送し、中央の露光位置に至って静止する。そして、所望の焼付露光を終了して、再び搬送手段２４による搬送により、次の中間搬送手段２５に受け渡され右上方へ搬送されて、次の振り分け手段２の入口ローラ対２６に受け渡される。入口ローラ対２６の搬送速度は、焼付装置１の処理速度に合せ、また中間搬送手段２５の搬送速度に合わせて高速でよい。
　【００１５】次に入口ローラ対２６で搬送された印画紙Ｐは、振り分け部１１に入り、ガイド２２に係合して搬送を停止し、ガイド２２を図１の紙面に垂直方向の移動により、上記係合した印画紙Ｐを搬送路の片側に片寄せる。この実施例では２列に振り分ける例を示すが、発明は２列に限るものではなく、上記片寄せるストロークを適宜設定することによって複数列は容易に実施出来る。この実施例では２列とし、第１に振り分け部１１に入った印画紙Ｐ１を奥側に片寄せてのち、再び搬送を再開すると、印画紙Ｐ１は次のローラ対１２に受け渡されローラ対１２の駆動によって下方へと挟持搬送される。そして、次のローラ対１３，１４は挟持圧を弱く設定し、印画紙Ｐ１の押し込みにより従動回転する如く設定してあるから、上記ローラ対１２による挟持搬送により、印画紙Ｐ１はローラ対１３，１４間に押し込まれ、ローラ対１２の挟持を離れたところで移動を停止する。
　【００１６】この実施例では２列であるため、ローラ対１３，１４は図１の紙面に垂直方向に関し２列に分割してあり、各ローラ対は軸連結してない軸支方式としたから上記２列のそれぞれの列について、該ローラ対の長さの中で、小サイズの印画紙が押し込まれると、当該列のローラ対のみ従動回転し、他列のローラ対は回転しない。
　【００１７】次に、第２に振り分け部１１に入った印画紙Ｐ２は、上記片寄せ後中央に復帰しているガイド２２に係合して、手前に片寄せられ、再び搬送を再開すると印画紙Ｐ２は次のローラ対１２に受け渡され、ローラ対１２の駆動によって下方へと挟持搬送される。このとき、次のローラ対１３，１４の手前の列に沿って印画紙Ｐ２は押し込まれるので、既に押し込まれている第１の印画紙Ｐ１を挟持しているローラ対１３，１４の奥側の列とは軸が連結されていないから、上記、今回の手前列の印画紙Ｐ２の押し込みによって奥側の印画紙Ｐ１が移動することはない。そして、手前側の列の印画紙Ｐ２も、ローラ対１２の挟持を離れたところで移動を停止する。
　【００１８】このようにして２列となった印画紙Ｐ１，Ｐ２は一オーダ内で行なわれるから、同一サイズであるため、ローラ対１２の挟持を離れたところで移動を停止したことで、後端位置が揃うばかりでなく、進行方向先端についても揃えられている。
　【００１９】次に、この実施例では２列の設定であるから２列の振り分けが上記により完了すると、ローラ対１３，１４の搬送を開始し、２列同時にローラ対１５を経て上方へ搬送し、自動現像機３へと受け渡す。
　【００２０】自動現像機３で現像処理を終えた印画紙は排出ローラ２７によってトレー１６に排出される。トレー１６に内蔵された図示しない機構よりなる押出し手段に取り付けた押し棒１７は、印画紙Ｐがトレー１６に排出されたのを待って、図１の紙面に垂直方向に移動し、この実施例では手前に移動し、印画紙Ｐ２を手前の集積部に落下集積する。
　【００２１】なお、この例では２列であるため手前側の印画紙Ｐ２が先に集積部に落下し、次いで奥側の印画紙Ｐ１が落下して重ねられる。次々に繰返すことにより一オーダ分の印画紙が集積部に積み重ねられ、その順も揃えられる。
　【００２２】上記の如く、振り分け手段２において、この実施例では振り分け後の印画紙を搬送部に複数列に押し込むための手段としてローラ対を２列に分割したが、所望の列だけ分割数を増してもよいし、又は分割しないでローラ対１３，１４について挟持を解除しておいて、従動回転も行なわれないようにロックしておくことによって、複数列の印画紙押し込みを可能として、押し込み完了時点でローラ対１３，１４を圧接し、印画紙を挟持して搬送を開始する方法を採用してもよい。なお、複数列に分割したローラを搬送再開にあたり一斉に回転するには、ローラ対１３，１４それぞれに１軸で、回転する駆動ローラを外周に接触転動することにより実施している。
　【００２３】次に、複数例の判断について、連結した自動現像機の印画紙処理可能幅は、大サイズプリントに応じて、幅広であり、この幅を規定のサイズとして演算制御手段に入力し、プリントサイズはオーダに応じて、焼付装置に装填するマガジンの印画紙幅に従って決定され、上記演算制御手段に入力され、列数が算出される。特に指定せず、上記演算制御に従った列数で処理してもよいし、または、別途設けた選択手段により、上記演算による列数以内で選択した列数で処理してもよい。それは一オーダ分のプリント枚数を考慮して、出来るだけ均等な列数で一オーダ分を処理完了するのが、処理の安定のために有利だからである。ここでいう処理の安定とは、特に現像処理の安定を意味し、印画紙処理可能幅一杯に常に処理を続けた後、突然片寄せた一列分だけ印画紙が通ると、印画紙が当接しなかった部分に処理液汚れが付着することが多く、その汚れが、次に通す印画紙に付着して画像汚れを生じることがあるからである。よって、出来るだけ均等に振り分けて各オーダ分を完了するのが好ましく、また、次のオーダでも別の振り分けが必要であることを考慮して、各オーダ毎に振り分けを完了又はリセット可能とした。
　【００２４】図２は、上記写真振分装置により振り分けられた印画紙が自動現像機３内を搬送される状態を示す模式図である。
　【００２５】図２によって、振り分け列数以内の列数で振り分けることにより、自動現像機の印画紙搬送ローラの全域に対し、順次搬送ラインを変更する如く位置決めした実施例の説明をする。図２において、Ｗは自動現像機の処理可能幅（最大幅）である。
　【００２６】図２に示す如く、まず振り分けを２列として、奥側から順に２列に振り分けた。この状態で連続運転を続けると、斜線部Ｄに示す汚れ付着が進行するから、順次手前方向へと搬送ラインを変更し、特定の部位又は特定の搬送ライン上に汚れ等が付着堆積することを防止する。
　【００２７】なお、図２に示す自動現像機３の動作の概要を説明するならば、当自動現像機３の上流に設けた振分装置によりまず、最奥側と隣る２列目に振り分けた印画紙Ｐは自動現像機３の第１の処理槽である現像槽３０のローラ搬送手段に受け渡されて現像後、次々に漂白定着槽４０、水洗又は安定化処理槽５０を経て、乾燥部６０で乾燥され、トレー１６にプリントとして排出され、待機していた押出し手段の押し棒１７により手前に押し出され集積される。
　【００２８】順次搬送ラインを変更するのは、一オーダ毎に行なうのがシステム構成上から好ましいが、これに限定するものではない。
　【００２９】
　【発明の効果】以上述べたように、本発明の写真振分装置は、このように構成したものであるから、プリントサイズによって多列処理をして自動現像機を有効利用して、処理能力を向上すると共に、汚れ付着を集中させることがないから安定した処理能力を維持することが出来る。
【図面の簡単な説明】
　【図１】本発明による写真振分装置を備えた写真処理システムの全体構成図。
　【図２】本発明による写真振分装置により振り分けられた印画紙が自動現像機内を搬送される状態を示す模式図。
　【符号の説明】
１　　焼付装置
２　　振り分け手段
３　　自動現像機
４　　集積手段
５　　元巻マガジン
６　　カッター
７　　露光台
８　　投影レンズ
９　　ネガフィルム
１１　振り分け部
１２，１３，１４，１５　ローラ対
１６　トレー
２２　ガイド
２３　送り出し手段
２４　搬送手段
２５　中間搬送手段
２６　入口ローラ対
２７　排出ローラ
３０　現像槽
Ｐ，Ｐ１，Ｐ２　印画紙